(57)【要約】【課題】複数のマット部に分割したとき、マット部のスプリングユニットを枠線で補強し、しかも枠線の硬さが利用者に伝わらないマットレス装置にある。【解決手段】複数に分割されたマット部１ａ〜１ｃは、平面形状が四角形状のスプリングユニット３と、スプリングユニットを被覆した外装地１３と、スプリングユニットの上面側と下面側のうちの少なくとも上面側の周辺部に沿って設けられる枠線７ａ，７ｂを具備し、  長さ方向の両端に位置するマット１ａ，１ｃの上面側に設けられる枠線は、長さ方向の中途部に位置するマット部１ｂと隣接する一側辺に対応する部分がスプリングユニットの上面よりも下方に位置し、一側辺を除く三側辺に対応する部分がスプリングユニットの上面の側縁に沿う形状であって、長さ方向の中途部のマット部１ｂの上面側に設けられる枠線は、幅方向の両側に対応する部分がスプリングユニットの上面の側縁に沿っていて、長さ方向の両側に対応する部分では上面よりも下方に位置する形状である。【選択図】      図１
2011172738.tif 000002
【特許請求の範囲】
【請求項１】
長さ方向に対して３つ以上に分割されたマット部を有するマットレス装置であって、
上記マット部は、
上面と下面を有し平面形状が四角形状に形成されたクッション体と、
このクッション体を被覆した外装地と、
上記クッション体の上面側と下面側のうちの少なくとも上面側の周辺部に沿って設けられる枠線を具備し、
上記複数のマット部のうちの、上記長さ方向の両端に位置するマット部の上面側に設けられる上記枠線は、上記長さ方向の中途部に位置するマット部と隣接する一側辺に対応する部分が上記クッション体の上面よりも下方に位置し、上記一側辺を除く三側辺に対応する部分が上記クッション体の上面の側縁に沿う形状であって、
上記長さ方向の中途部に位置するマット部の上面側に設けられる枠線は、上記長さ方向に対して交差する幅方向の両側に対応する部分が上記クッション体の上面の側縁に沿っていて、上記幅方向と交差する上記長さ方向の両側に対応する部分では上記上面よりも下方に位置する形状であることを特徴とするマットレス装置。
【請求項２】
長さ方向に対して２つに分割されたマット部を有するマットレス装置であって、
上記マット部は、
平面形状が四角形状に形成された上面と下面を有するクッション体と、
このクッション体を被覆した外装地と、
上記クッション体の上面側と下面側のうちの少なくとも上面側の周辺部に沿って設けられる枠線を具備し、
上記各マット部の上面側に設けられる枠線は、互いに隣接する上記長さ方向の一側辺に対応する部分が上記クッション体の上面よりも下方に位置し、上記一側を除く三側に対応する部分が上記クッション体の上面の側縁に沿う形状であることを特徴とするマットレス装置。
【請求項３】
上記クッション体は、複数のスプリングを平面形状が四角形状になるよう配置したスプリングユニットであることを特徴とする請求項１記載のマットレス装置。
【請求項４】
上記複数のマット部は、隣り合うマット部が重なり合うよう折り畳み可能に連結されていることを特徴とする請求項１記載のマットレス装置。
【請求項５】
長さ方向に対して複数に分割されたマット部を有するマットレス装置であって、
上記マット部は、
上面と下面を有し平面形状が四角形状に形成されたクッション体と、
このクッション体を被覆した外装地と、
上記クッション体の上面側と下面側のうちの少なくとも上面側の周辺部に沿って設けられる枠線を具備し、
上記マット部の上面側に設けられる枠線は、上記長さ方向に対して交差する幅方向の両側に対応する部分が上記クッション体の上面の側縁に沿っていて、上記幅方向と交差する上記長さ方向の両側に対応する部分では上記上面よりも下方に位置する形状であることを特徴とするマットレス装置。
【発明の詳細な説明】
【技術分野】
【０００１】
この発明は複数に分割されたマット部が一列に並べて使用されるマットレス装置に関する。
【背景技術】
【０００２】
一般に、マットレス装置はスプリングやウレタンフォーム等の弾性材によって平面形状が四角形状になるよう形成されたスプリングユニットなどのクッション体を有し、このクッション体は外装地で被覆されている。このような構成のマットレス装置は、利用者の身長以上の長さ寸法を有するため、取り扱いが不便であったり、不使用時に邪魔になるということがある。
【０００３】
そこで、このような問題を解決するため、上記マットレス装置を長さ方向に対して複数のマット部に分割するということが行なわれている。このような先行技術は特許文献１に示されている。
【０００４】
一方、マットレス装置を構成するマット部のクッション体がスプリングユニットの場合、通常、特許文献２に示されるようにスプリングユニットの上下面の周縁に枠線を設け、この枠線によってスプリングユニットの周辺部を補強したり、スプリングユニットの外形状を維持するなどのことが行なわれる。
【０００５】
したがって、マットレス装置を複数のマット部に分割した場合、各マット部のクッション体の少なくとも上面となる一方の面の周縁に枠線を設けなければ、各マット部の周辺部が他の部分に比べて柔らかいため、実効使用面積が減少したり、クッション体の外形状が維持できないなどのことが生じる。
【先行技術文献】
【特許文献】
【０００６】
【特許文献１】実用新案登録第３００９３３５号公報
【特許文献２】特開２００３−３２５２７２号公報
【発明の概要】
【発明が解決しようとする課題】
【０００７】
ところで、マットレス装置を複数のマット部に分割して構成した場合、各マット部を補強したり、外形状を維持するために特許文献２に示された技術を用いると、各マット部の上下面の周縁の全長に枠線を設けることになる。
【０００８】
しかしながら、複数のマット部の上面の周縁の全長に沿って枠線を設けると、複数のマット部を一列に並べて使用するとき、マットレス装置の長手方向の中途部には、隣り合うマット部の側辺の上端に位置する上記枠線の一辺が上記長手方向と交差する方向、つまりマットレス装置の長手方向中途部で幅方向に沿って位置することになる。
【０００９】
したがって、利用者がマットレス装置の上面に仰臥したとき、上記枠線の上記幅方向に沿って位置する一辺が利用者の背面に当たることになるから、寝心地が大きく損なわれるということになる。
【００１０】
この発明は、複数のマット部に分割した場合、寝心地の低下を招いたり、外形状が維持できなくなるということなく、各マット部に補強用の枠線を設けることができるようにしたマットレス装置を提供することにある。
【課題を解決するための手段】
【００１１】
この発明は、長さ方向に対して３つ以上に分割されたマット部を有するマットレス装置であって、
上記マット部は、
上面と下面を有し平面形状が四角形状に形成されたクッション体と、
このクッション体を被覆した外装地と、
上記クッション体の上面側と下面側のうちの少なくとも上面側の周辺部に沿って設けられる枠線を具備し、
上記複数のマット部のうちの、上記長さ方向の両端に位置するマット部の上面側に設けられる上記枠線は、上記長さ方向の中途部に位置するマット部と隣接する一側辺に対応する部分が上記クッション体の上面よりも下方に位置し、上記一側辺を除く三側辺に対応する部分が上記クッション体の上面の側縁に沿う形状であって、
上記長さ方向の中途部に位置するマット部の上面側に設けられる枠線は、上記長さ方向に対して交差する幅方向の両側に対応する部分が上記クッション体の上面の側縁に沿っていて、上記幅方向と交差する上記長さ方向の両側に対応する部分では上記上面よりも下方に位置する形状であることを特徴とするマットレス装置にある。
【００１２】
この発明は、長さ方向に対して２つに分割されたマット部を有するマットレス装置であって、
上記マット部は、
平面形状が四角形状に形成された上面と下面を有するクッション体と、
このクッション体を被覆した外装地と、
上記クッション体の上面側と下面側のうちの少なくとも上面側の周辺部に沿って設けられる枠線を具備し、
上記各マット部の上面側に設けられる枠線は、互いに隣接する上記長さ方向の一側辺に対応する部分が上記クッション体の上面よりも下方に位置し、上記一側を除く三側に対応する部分が上記クッション体の上面の側縁に沿う形状であることを特徴とするマットレス装置にある。
【００１３】
上記クッション体は、複数のスプリングを平面形状が四角形状になるよう配置したスプリングユニットであることが好ましい。
【００１４】
上記複数のマット部は、隣り合うマット部が重なり合うよう折り畳み可能に連結されていることが好ましい。
【００１５】
この発明は、長さ方向に対して複数に分割されたマット部を有するマットレス装置であって、
上記マット部は、
上面と下面を有し平面形状が四角形状に形成されたクッション体と、
このクッション体を被覆した外装地と、
上記クッション体の上面側と下面側のうちの少なくとも上面側の周辺部に沿って設けられる枠線を具備し、
上記マット部の上面側に設けられる枠線は、上記長さ方向に対して交差する幅方向の両側に対応する部分が上記クッション体の上面の側縁に沿っていて、上記幅方向と交差する上記長さ方向の両側に対応する部分では上記上面よりも下方に位置する形状であることを特徴とするマットレス装置にある。
【発明の効果】
【００１６】
この発明によれば、並設される複数のマット部の長さ方向中途部で、この長さ方向と交差する方向に沿って位置するマット部の枠線の一辺を、そのマット部の上面よりも下方に位置させるようにした。
【００１７】
そのため、利用者がマット部の上面に仰臥しても、並設された複数のマット部の長さ方向の中途部において、枠線が利用者の背面に当たることがないから、枠線の機能を維持しつつ、寝心地が低下するのを防止することができる。
【図面の簡単な説明】
【００１８】
【図１】この発明の第１の実施の形態を示すマットレス装置の斜視図。
【図２】図１に示すマットレス装置を構成する第１乃至第３のマット部を分解した斜視図。
【図３】各マット部に用いられる第１の枠線と第２の枠線を示す斜視図。
【図４】（ａ）は第１の枠線が用いられた第１，第３のマット部の内部構造を示す一部断面した側面図、（ｂ）は第２の枠線が用いられた第２のマット部の内部構造を示す一部断面した側面図。
【図５】この発明の第２の実施の形態を示すマットレス装置の斜視図。
【図６】この発明の第３の実施の形態を示すマットレス装置の斜視図。
【発明を実施するための形態】
【００１９】
以下、この発明の実施の形態を図面を参照しながら説明する。  
図１乃至図４はこの発明の第１の実施の形態を示し、図１はマットレス装置Ｍの斜視図である。このマットレス装置Ｍ１は複数、この実施の形態では第１乃至第３のマット部１ａ〜１ｃに分割されている。分割された第１乃至第３のマット部１ａ〜１ｃは一列に並設されていて、後述するように重ね合わせて折り畳むことができるようになっている。
【００２０】
図４（ａ）は第１乃至第３のマット部１ａ〜１ｃのうちの、第１、第３のマット部１ａ，１ｃを示し、図４（ｂ）は第２のマット部ｂを示す。各マット部１ａ〜１ｃはクッション体としてのスプリングユニット３を有する。このスプリングユニット３は複数のコイルスプリング４が行列状に配置されて平面形状が四角形状をなしていて、隣り合うコイルスプリング４の上下端面がマットレス装置Ｍ１の長手方向と交差する幅方向に沿って設けられたヘリカル線５によって連結されている。
【００２１】
上記第１乃至第３のマット部１ａ〜１ｃのうち、長手方向両端に位置する第１のマット部１ａと第３のマット部１ｃのスプリングユニット３の上面側には平面形状が矩形枠状の第１の枠線７ａが設けられている。
【００２２】
上記第１のマット部１ａと第３のマット部１ｃの第１の枠線７ａは、図３（ａ）に示すように、並設された第１乃至第３のマット部１ａ〜１ｃの長手方向の中途部に位置する上記第２のマット部１ｂと隣接する一側辺に対応する部分が上記スプリングユニット３の上面よりも所定寸法下方であって、しかも下端が厚さ方向中途部に位置するＵ字状の屈曲部８に形成されている。
【００２３】
つまり、屈曲部８の下端は、スプリングユニット３が圧縮変形したときに底付きが生じることがない位置になっている。
【００２４】
上記第１の枠線７ａの上記一側辺を除く三側辺に対応する部分は上記スプリングユニット３の上面とほぼ同じで高さでこの上面の側縁に沿っている。そして、第１のマット部１ａと第３のマット部１ｃの第１の枠線７ａは、図示しないクリップによって上記一側辺及び三側辺が上記スプリングユニット３の周辺部に位置するコイルスプリング４に連結されている。
【００２５】
上記マットレス装置Ｍの長手方向中途部に位置する第２のマット部１ｂの第２の枠線７ｂは、第１の枠線７ａと同様、平面形状が矩形状をなしている。この第２の枠線７ｂは、第１乃至第３のマット部１ａ〜１ｃの並設方向である、長手方向と交差する幅方向の両側に対応する部分が上記スプリングユニット３の上面の側縁に沿っていて、幅方向と交差する長手方向の両側に対応する部分では上記スプリングユニット３の上面よりも下方に位置するようＵ字状の屈曲部８に形成されている。この屈曲部８は上記第１の枠線７ａの屈曲部８と同様、下端がスプリングユニット３の厚さ方向の中途部に位置している。
【００２６】
そして、第２のマット部１ｂの第２の枠線７ｂは、図示しないクリップによって各側辺が上記スプリングユニット３の周辺部に位置するコイルスプリング４に連結されている。
【００２７】
上記スプリングユニット３の上下面には、シート状の保護材１１を介してウレタンフォーム等の弾性層１２が重合され、これらの重合体は袋状に縫製された外装地１３によって被覆されている。
【００２８】
隣接する第１のマット部１ａと第２のマット部１ｂとの側面は、図１に示すように上記外装地１３の上記側面を被覆した部分の厚さ方向の上端が第１の連結部１５ａによって折り曲げ可能に連結され、隣接する第２のマット部１ｂと第３のマット部１ｃとの側面は、上記外装地１３の上記側面を被覆した部分の厚さ方向の下端が第２の連結部１５ｂによって折り曲げ可能に連結されている。
【００２９】
したがって、第１乃至第３のマット部１ａ〜１ｃは、互いの連結部分を折り曲げることで、第１のマット部１ａ上に、第２、第３のマット部１ｂ，１ｃを順次重合することができるようになっている。つまり、マットレス装置Ｍ１は折り畳み可能になっている。
【００３０】
上記構成のマットレス装置Ｍ１によれば、第１乃至第３のマット部１ａ〜１ｃのスプリングユニット３のぞれぞれの上面側には、ともに平面形状が矩形枠状の第１、第２の枠線７ａ，７ｂが設けられている。
【００３１】
そのため、各マット部１ａ〜１ｃのスプリングユニット３は平面形状が第１、第２の枠線７ａ，７ｂによって周辺部が補強されるから、その補強によって実効使用面積が減少するのを防止できるばかりか、スプリングユニット３の形状が損なわれることが防止される。しかも、第１、第２の枠線７ａ，７ｂは平面形状が矩形状であるから、各スプリングユニット３に対して十分な補強強度を得ることが可能となる。
【００３２】
上記マットレス装置Ｍ１を利用する場合、利用者は上記第１乃至第３のマット部１ａ〜１ｃを一列に展開し、その上面に仰臥する。
【００３３】
上記第１乃至第３のマット部１ａ〜１ｃの上面側に設けられた第１、第２の枠線７ａ，７ｂの、互いのマット部１ａ〜１ｃの隣接する側辺に対応する部分は、図１に示すようにスプリングユニット３の上面よりも下方に位置する屈曲部８に形成されている。
【００３４】
そのため、一列に展開された第１乃至第３のマット部１ａ〜１ｃの上面に利用者が仰臥しても、第１、第２の枠線７ａ，７ｂの、互いのマット部１ａ〜１ｃの隣接する側辺に対応する部分の屈曲部８が利用者の背面に当たることがないから、各マット部１ａ〜１ｃの上面側に第１、第２の枠線７ａ，７ｂを設けるようにしても、その枠線７ａ，７ｂによって寝心地が低下するということがない。
【００３５】
つまり、各マット部１ａ〜１ｃの寝心地を低下させることなく、各マット部１ａ〜１ｃのスプリングユニット３を第１、第２の枠線７ａ，７ｂによって補強することができる。
【００３６】
図５はこの発明の第２の実施の形態を示すマットレス装置Ｍ１の斜視図である。この実施の形態のマットレス装置Ｍ２は２つのマット部２１ａ，２１ｂに分割されていて、各マット部２１ａ，２１ｂには第１の実施の形態の第１の枠線７ａと同じ形状の枠線７Ａが用いられている。つまり、枠線７Ａは、互いのマット部２１ａ，２１ｂの隣接する一側部に対応する部分だけがスプリングユニット３の上面よりも下方に位置し、しかも下端が厚さ方向中途部に位置する屈曲部８ａに形成されている。
【００３７】
なお、各マット部２１ａ，２１ｂの内部構造葉第１の実施の形態と同様のスプリングユニット４であって、各マット部２１ａ，２１ｂの隣り合う側面は上端が連結部１５ｃによって折り曲げ可能に連結されている。
【００３８】
このような構成によれば、各マット部２１ａ，２１ｂのスプリングユニット３は矩形枠状の枠線７Ａによって補強される。しかも、枠線７Ａによって補強された２つのマット部２１ａ，２１ｂを展開し、その上面に利用者が仰臥して利用するとき、枠線７Ａのマットレス装置Ｍ１の長手方向中途部に位置する部分は屈曲部８ａとなっていて、厚さ方向の中途部に位置する。そのため、利用者の背面に枠線７Ａが当って寝心地が低下するようなことがない。
【００３９】
上記各実施の形態では、隣り合う複数のマット部が折り畳み可能に連結される構成を例に挙げて説明したが、隣り合うマット部の側面に面状ファスナを設け、これらの面状ファスナによって隣り合うマット部を着脱可能に連結するようにしてもよい。
【００４０】
図６はこの発明の第３の実施の形態を示すマットレス装置Ｍ２の斜視図である。この実施の形態のマットレス装置Ｍ３は第１の実施の形態のマットレス装置の変形例である。つまり、この第３の実施の形態では第１のマット部１ａと第３のマット部１ｃに、第２のマット部１ｂと同じ構成の第２の枠線７ｂを用いるようにしている。
【００４１】
この発明の第３の実施の形態では、第１乃至第３のマット部１ａ〜１ｃは隣り合うマット部の側面に面状ファスナを設け、これらの面状ファスナによって隣り合うマット部が着脱可能に連結されている。
【００４２】
このような構成によれば、３つのマット部１ａ〜１ｃをマットレス装置Ｍ３の長手方向両端或いは中央のどの位置に設置しても、利用者に不快感を与えることなく使用することができるから、使い勝っての向上を図ることができる。
【００４３】
なお、この第３の実施の形態において、互いに隣り合うマット部１ａ〜１ｃを折り畳み可能に連結するようにしてもよい。
【００４４】
また、第２の実施の形態においても、それぞれのマット部に、マットレス装置の長手方向と交差する２つの側辺にそれぞれ屈曲部が形成された枠線を用いるようにしてもよい。
【００４５】
上記各実施の形態ではクッション体として用いられたスプリングユニットの上面側にだけ枠線を設けるようにしたが、下面側にも枠線を設けるようにしてもよい。そのようにすれば、スプリングユニットは上面側と下面側の両方がそれぞれ枠線によって補強されることになる。
【００４６】
また、クッション体としてスプリングユニットを例に挙げて説明したが、このスプリングユニットを構成するコイルスプリングを袋に収容した、所謂、ポケットコイルスプリングを用いたスプリングユニットからなるクッション体であってもよく、さらにはスプリングユニットに代えてウレタンフォームなどの弾性材によってクッション体を構成してもよい。
【００４７】
また、マットレス装置を構成するマット部の数が３つ及び２つの場合を例にあげて説明したが、４つ以上であっても差し支えない。
【符号の説明】
【００４８】
１ａ〜１ｃ…第１乃至第３のマット部、３…スプリングユニット（クッション体）、４…コイルスプリング、７ａ，７ｂ、７Ａ…枠線、８…屈曲部、１３…外装地、２１ａ，２１ｂ…マット部、Ｍ１〜Ｍ３…マットレス装置。
【図１】
2011172738.tif 000003
【図２】
2011172738.tif 000004
【図３】
2011172738.tif 000005
【図４】
2011172738.tif 000006
【図５】
2011172738.tif 000007
【図６】
2011172738.tif 000008